(57)【要約】      （修正有）【課題】一回に引き出せる引出し数量を制限し、構造が簡単で修理が容易なキャビネットの安全連鎖装置の提供。【解決手段】ロックヘッド２、操作ロッド３、ラッチベース４、複数の係合ブロック５、ラッチ構造６、支持フレーム８、カバー９、及び安全開放機構７で構成されている。ロックヘッド２はキャビネットの正面上方に設けられて使用者のロック、アンロックに供される。駆動ロッド３は前端がロックヘッド２の後端のロックコアの凹溝２１と嵌合され、ロックヘッド２が鍵で回されることにより駆動ロッド３が回転する。【選択図】図３
0003110427.tif 000002
【実用新案登録請求の範囲】
【請求項１】
複数の引出しが設けられたキャビネット内に取り付けられるキャビネットの安全連鎖装置であり、該安全連鎖装置は、ロックヘッド、操作ロッド、固定フレーム、複数の係合ブロック、ラッチ構造、安全開放機構を具え、
該ロックヘッドはキャビネットの正面上方に設けられて使用者のロック、アンロックに供され、
該駆動ロッドは前端がロックヘッドの後端に接続され、該駆動ロッドの後端にフックが設けられ、該ロックヘッドが鍵で回されることにより該駆動ロッドが駆動され回転し、
該固定フレームは、該キャビネットの安全連鎖装置を固定するのに供され、
該複数の係合ブロックは、各引出しの後端に固定され、各係合ブロックの外側に突出部があり、該突出部の上方にロック部が設けられ、該ロック部の引出しに近い一端に略垂直な当接面が設けられ、且つ該ロック部の上端が係合ブロックの上面より突出し、該ロック部の別側に斜面が設けられ、
該ラッチ構造は、ラッチ片と駆動位置決め機構で構成され、該ラッチ片は該固定フレーム内に嵌合されて上下移動可能とされ、並びに駆動位置決め機構をりようして該ラッチ片が定位に到達し、該ラッチ片にあって各係合ブロックに対応する位置に係合孔が設けられ、該係合孔のサイズが係合ブロックの突出部のサイズに合わされ、該突出部が所定の水平範囲内で該係合孔を通過し、ラッチ片と係合ブロックの相対位置の改変によりロック或いはアンロックが達成され、
該安全開放機構は、駆動位置決め機構が組み合わされてラッチ片をロックの位置に保持し、並びに使用者が引出しを開ける時に該安全開放機構を利用してラッチ片を押動して移動させることでアンロック状態とすることができることを特徴とする、キャビネットの安全連鎖装置。
【請求項２】
請求項１記載のキャビネットの安全連鎖装置において、該駆動位置決め機構が回転ブロックと弾性部品で構成され、該回転ブロックがラッチベースに枢設されて回転自在とされ、回転ブロックの一端がラッチ片と協動し、弾性部品の二端がラッチベースと回転ブロックに固定され、該弾性部品の提供する引っ張り力により回転ブロックが二つの固定停留の位置に制限されることを特徴とする、キャビネットの安全連鎖装置。
【請求項３】
請求項２記載のキャビネットの安全連鎖装置において、回転ブロックの一端に第１固定座が設けられ、第１固定座と反対の一側のラッチベース上に第２固定座が設けられ、弾性部品の二端が第１固定座と第２固定座に固定され、前述の回転ブロックの別端のラッチ片に近い一側に凸柱が設けられ、ラッチ片とラッチベースの横向き設置された第２溝孔と垂直方向に設置された第３溝孔が組み合わされ、回転ブロックの凸柱がラッチベースの第３溝孔及びラッチ片に設けられた第２溝孔を通り、ラッチ片が外力を受けて上下移動する時、回転ブロックを駆動し回転させることを特徴とする、キャビネットの安全連鎖装置。
【請求項４】
請求項３記載のキャビネットの安全連鎖装置において、ラッチベースに枢設された回転ブロックの枢軸が第１固定座と第２固定座の間に介在することを特徴とする、キャビネットの安全連鎖装置。
【請求項５】
請求項４記載のキャビネットの安全連鎖装置において、第１固定座の二つの停留位置と回転ブロックの枢軸及び第２固定座の三者の位置が、非直線を呈することを特徴とする、キャビネットの安全連鎖装置。
【請求項６】
請求項２記載のキャビネットの安全連鎖装置において、安全開放機構がボタン、連接棒、及びプッシュブロックで構成され、そのうち、プッシュブロックがラッチベースの側辺に枢設され、ラッチ片にあってプッシュブロックに対応する位置に第４溝孔が設けられてプッシュブロックの一側が通過して接触し、ボタンは連接棒の前端に枢設され、該ボタンの前端はキャビネットの表面より突出し、連接棒の後端はカバーを通過して前述のプッシュブロックの一端に当接し、プッシュブロックの別端がラッチ片に当接することを特徴とする、キャビネットの安全連鎖装置。
【請求項７】
請求項１記載のキャビネットの安全連鎖装置において、引出し衝突防止安全機構が設けられ、該引出し衝突防止安全機構は制動ブロックと突出部を具え、該引出し衝突防止安全機構はロックヘッドのロック時にフックの上端と第１溝孔上端間の距離を増加して係合ブロックのロック部の当接面の高さよりやや高くなるようにし、該突出部は該安全開放機構中の連接棒の駆動ロッドに近い一側に接続され、制動ブロックは駆動ロッドの前述の突出部に対応する位置に設けられ、該制動ブロックはロックヘッドのロック時にフックが下向きに回転する時に突出部の一側に位置し、突出部の前進を阻止し、安全開放機構を作動不能とすることを特徴とする、キャビネットの安全連鎖装置。
【請求項８】
請求項１記載のキャビネットの安全連鎖装置において、支持フレームを更に具え、該支持フレームは方形長条状中空体とされ、且つキャビネットの内部後方に設けられたことを特徴とする、キャビネットの安全連鎖装置。
【考案の詳細な説明】
【技術分野】
【０００１】
本考案は一種のキャビネットの安全連鎖装置に係り、特に、一回に一層の引出ししか引き出せず、且つキャビネットアンロック後に引出しの自動開放と落下を防止するキャビネットの安全連鎖装置に関する。
【背景技術】
【０００２】
一般にキャビネットにはロック構造が設けられてロック目的を達成する。図１は伝統的な引出しロック装置の外観図である。この引出しロック装置はロックヘッドＡ、ロックピン連接棒Ｂ、ラッチ片Ｃ及び複数の係合ブロックＤで構成されている。そのうち、係合ブロックＤは引出し（図示せず）の後端に固定され、ロックヘッドＡはキャビネットＥの正面上方に固定され、ラッチ片ＣはキャビネットＥの後端に設けられ、ラッチ片Ｃにあって各引出し後端に設けられた係合ブロックＤに対応する位置に係合孔Ｆが設けられ、ラッチ連接棒Ｂの前後両端は、それぞれロックヘッドＡとラッチ片Ｃに接続され、使用者が該ロックヘッドＡによりボルト連接棒Ｂを通してラッチ片Ｃを駆動して上下に移動させることで、ラッチ片Ｃの係合孔Ｆと係合ブロックＤの相対位置を改変することにより、引出しの同期アンロック、ロックの作用を達成する。
【０００３】
ただし実際には、キャビネットの活動性と便利性を増すため、ほとんどのキャビネットの底端にはキャスタが設けられ、このほか、使用者が内側の物品の出し入れに便利なように、キャビネットの引出しは一般に相当に大きく開放可能であるが、往々にして使用者が物品を探すため或いはその他の原因により一つ以上の引出しを開くことがあり、キャビネット内に相応に重い工具が収容されている場合、一旦過多に開放された引出しはキャビネットの重心の改変を形成し、キャビネットの重心が不安定となり前傾し、使用者或いは近くの人を傷つけることがある。
【０００４】
前述の原因を鑑みて、本考案者は特許文献１に記載の引出し開放数量を制限できる引出しロック装置を提供しており、それは、図２に示されるように、ロックヘッドＧ、駆動ロッドＩ、係合装置Ｊ、ラッチ回転片Ｋで構成されている。そのうち、ロックヘッドＧの後端のロックコアに凹溝Ｈが設けられ、該凹溝Ｈ内に駆動ロッドＩの一端が接続され、駆動ロッドＩの別端は、キャビネット内側上面後端に固定された係合装置Ｊにとおされ、該ラッチ回転片Ｋは長条状を呈しそれに複数の貫通孔Ｌが設けられ、該係合装置Ｊを利用してラッチ回転片Ｋを正、反方向に回転させてそれにアンロックとロックを発生させ、且つ引出し引き出し後にラッチ回転片Ｋをもとのロック状態の位置に押し戻すことができ、一度に開放できる引出し数量を制限する目的を達成する。
【０００５】
前述の構造は一度に開放できる引出し数量を制限する機能を達成できるが、一般に引出しの側板の高さは低く、これにより該引出し内に置かれた物品が引出し後端の側板を超過し突出しやすく、引出し後端とキャビネット後側面板の間の空間に落下してこのため突出物或いは落下物がラッチ回転片Ｋに突き当たりラッチ回転片Ｋを順調に回してロック或いはアンロックできなくなることがある。開放後に順調にロックできない情況が発生した時、使用者は自分で障害物を排除しなければならないが、一旦使用者がロックした後に順調にアンロックできない情況が発生すると、専門の修理員により特殊な工具を用いてそれを開放しなければならなくなり、このため使用者及び修理員に極めて大きな不便と問題をもたらす。
【０００６】
このほか、前述の引出しロック装置の構造は、一度に開放できる引出し数量を制限する機能を達成するが、ロックヘッドアンロックの後、引出し開放を防止できる安全装置がなく、このためどの引出しも外力により開放される可能性があり、このため全体のキャビネットの重心が改変して傾倒する情況が発生しうる。
【０００７】
総合すると、周知の構造は実際の操作使用の過程で以下のような多くの改善すべき点がある。
１．キャビネット中に放置される物品は往々にしてそのサイズや形状を予知できず、例えば電線、大きな毛布、或いは小さいネジ釘等異なる物品がキャビネット中に置かれ、放置物がキャビネットの後方より突出したりラッチ回転片Ｋ付近に落下したりして、ラッチ回転片Ｋを順調にロック或いはアンロックできなくすることがある。
２．現在の、一回に一つの引出ししか開放できず傾倒を防止する安全ロック構造は、使用者がロックヘッドをアンロックした後に、どの引出しも外力の影響により開かれる可能性があり、このため各種の意外な情況が形成され易く使用者に極めて大きな不便をもたらす。
３．現在、一回に一つの引出ししか開放できず傾倒を防止する安全ロック構造は、使用者がロックヘッドをロックした後に、引出しが完全には閉じていないことに気づいた時、どのように処理するかというと、通常、使用者はキャビネットの未閉合の引出しを手で押し込み、時には使用者がキャビネットのロックヘッドがすでにロック状態にあることに気づかずに引出しを直接押し込む。このため、ラッチ片と係合ブロックが強烈に衝突して全体構造の損壊がもたらされる。
【０００８】
【特許文献１】米国特許第５，８６２，６８９号明細書
【考案の開示】
【考案が解決しようとする課題】
【０００９】
本考案の主要な目的は、一種のキャビネットの安全連鎖装置を提供することにあり、それは、ラッチ片とラッチ片に組み合わされる係合ブロックの構造を改変し、並びに駆動位置決め機構を具えたラッチ構造を提供し、係合ブロックに設置された斜面を組み合わせることにより、一回に引き出せる引出し数量を制限する機能を達成するのみならず、引出し内の物品の揺動混乱或いは落下がラッチ片の正常作業に影響を与えるのを防止したものとする。
【００１０】
本考案の次の目的は、一種のキャビネットの安全連鎖装置を提供することにあり、それは、安全開放機構の設置により使用者がロックヘッドをアンロック後に安全開放機構により引出しの予定外の開放を防止し安全の使用機能を達成するものとする。
【００１１】
本考案のさらに一つの目的は、一種のキャビネットの安全連鎖装置を提供することにあり、それは、ロックヘッドがロックされている状態でロックされていない引出しが、アンロックしないで直接押し込まれる時、引出しが自動ロックされて衝突損壊の情況を発生しないものとする。
【００１２】
上述の目的を達成するため、本考案の提供するキャビネットの安全連鎖装置は、キャビネット内に取り付けられ、ロックヘッド、駆動ロッド、ラッチベース、複数の係合ブロック、ラッチ構造及び安全開放機構で構成されている。そのうち、ロックヘッドはキャビネットの正面上方に設けられて使用者がロック及びアンロックを行なうのに供される。駆動ロッドの一端はロックヘッドの後端のロックコアの凹溝に係合され、ロックヘッドが鍵で回されることで駆動ロッドが回転する。このほか、ラッチベースは方形長条状中空体とされ、且つキャビネットの内側後側に設けられる。係合ブロックは各引出しの後端に固定される。ラッチ構造は前述のラッチベース内に嵌合され上下に移動可能で、且つラッチ構造の一端は駆動ロッドの一端と結合されてそれと協動する。本考案の特徴は以下のとおりである。引出し後端に固定された係合ブロックの外側に突出部があり、該突出部の下方にロック部が設けられ、該ロック部の引出しに近い一端に一対の略垂直の当接面があり、且つ該ロック部は係合ブロックの底面より突出し、該ロック部のもう一側に斜面があり、該斜面と突出部の前側斜面が相互に平行で等距離を維持する。このほか、ラッチ構造が、ラッチ片と駆動位置決め機構で構成され、そのうち、ラッチ片がラッチベース内に嵌合されて上下移動可能とされ、且つ該ラッチ片にあって係合ブロックに対応する位置に係合孔が設けられている。該係合孔のサイズは係合ブロックの突出部のサイズに合わせられ、突出部が所定の水平移動範囲内にあって該係合孔を通り、ラッチ片にあって駆動ロッドの後端のフックに対応する位置に、第１溝孔が設けられて該フックの通過に供され、該駆動位置決め機構が弾力補助を提供して該ラッチ片の位置をアンロックとロックの二つの異なる固定の位置に位置決めし、また安全開放機構の設置が組み合わされることで、ラッチ片が経常的にロックの位置を維持し、並びに使用者が開きたい時にラッチ片を押動することで開放の目的を達成する。
【課題を解決するための手段】
【００１３】
請求項１の考案は、複数の引出しが設けられたキャビネット内に取り付けられるキャビネットの安全連鎖装置であり、該安全連鎖装置は、ロックヘッド、操作ロッド、固定フレーム、複数の係合ブロック、ラッチ構造、安全開放機構を具え、
該ロックヘッドはキャビネットの正面上方に設けられて使用者のロック、アンロックに供され、
該駆動ロッドは前端がロックヘッドの後端に接続され、該駆動ロッドの後端にフックが設けられ、該ロックヘッドが鍵で回されることにより該駆動ロッドが駆動され回転し、
該固定フレームは、該キャビネットの安全連鎖装置を固定するのに供され、
該複数の係合ブロックは、各引出しの後端に固定され、各係合ブロックの外側に突出部があり、該突出部の上方にロック部が設けられ、該ロック部の引出しに近い一端に略垂直な当接面が設けられ、且つ該ロック部の上端が係合ブロックの上面より突出し、該ロック部の別側に斜面が設けられ、
該ラッチ構造は、ラッチ片と駆動位置決め機構で構成され、該ラッチ片は該固定フレーム内に嵌合されて上下移動可能とされ、並びに駆動位置決め機構をりようして該ラッチ片が定位に到達し、該ラッチ片にあって各係合ブロックに対応する位置に係合孔が設けられ、該係合孔のサイズが係合ブロックの突出部のサイズに合わされ、該突出部が所定の水平範囲内で該係合孔を通過し、ラッチ片と係合ブロックの相対位置の改変によりロック或いはアンロックが達成され、
該安全開放機構は、駆動位置決め機構が組み合わされてラッチ片をロックの位置に保持し、並びに使用者が引出しを開ける時に該安全開放機構を利用してラッチ片を押動して移動させることでアンロック状態とすることができることを特徴とする、キャビネットの安全連鎖装置としている。
請求項２の考案は、請求項１記載のキャビネットの安全連鎖装置において、該駆動位置決め機構が回転ブロックと弾性部品で構成され、該回転ブロックがラッチベースに枢設されて回転自在とされ、回転ブロックの一端がラッチ片と協動し、弾性部品の二端がラッチベースと回転ブロックに固定され、該弾性部品の提供する引っ張り力により回転ブロックが二つの固定停留の位置に制限されることを特徴とする、キャビネットの安全連鎖装置としている。
請求項３の考案は、請求項２記載のキャビネットの安全連鎖装置において、回転ブロックの一端に第１固定座が設けられ、第１固定座と反対の一側のラッチベース上に第２固定座が設けられ、弾性部品の二端が第１固定座と第２固定座に固定され、前述の回転ブロックの別端のラッチ片に近い一側に凸柱が設けられ、ラッチ片とラッチベースの横向き設置された第２溝孔と垂直方向に設置された第３溝孔が組み合わされ、回転ブロックの凸柱がラッチベースの第３溝孔及びラッチ片に設けられた第２溝孔を通り、ラッチ片が外力を受けて上下移動する時、回転ブロックを駆動し回転させることを特徴とする、キャビネットの安全連鎖装置としている。
請求項４の考案は、請求項３記載のキャビネットの安全連鎖装置において、ラッチベースに枢設された回転ブロックの枢軸が第１固定座と第２固定座の間に介在することを特徴とする、キャビネットの安全連鎖装置としている。
請求項５の考案は、請求項４記載のキャビネットの安全連鎖装置において、第１固定座の二つの停留位置と回転ブロックの枢軸及び第２固定座の三者の位置が、非直線を呈することを特徴とする、キャビネットの安全連鎖装置としている。
請求項６の考案は、請求項２記載のキャビネットの安全連鎖装置において、安全開放機構がボタン、連接棒、及びプッシュブロックで構成され、そのうち、プッシュブロックがラッチベースの側辺に枢設され、ラッチ片にあってプッシュブロックに対応する位置に第４溝孔が設けられてプッシュブロックの一側が通過して接触し、ボタンは連接棒の前端に枢設され、該ボタンの前端はキャビネットの表面より突出し、連接棒の後端はカバーを通過して前述のプッシュブロックの一端に当接し、プッシュブロックの別端がラッチ片に当接することを特徴とする、キャビネットの安全連鎖装置としている。
請求項７の考案は、請求項１記載のキャビネットの安全連鎖装置において、引出し衝突防止安全機構が設けられ、該引出し衝突防止安全機構は制動ブロックと突出部を具え、該引出し衝突防止安全機構はロックヘッドのロック時にフックの上端と第１溝孔上端間の距離を増加して係合ブロックのロック部の当接面の高さよりやや高くなるようにし、該突出部は該安全開放機構中の連接棒の駆動ロッドに近い一側に接続され、制動ブロックは駆動ロッドの前述の突出部に対応する位置に設けられ、該制動ブロックはロックヘッドのロック時にフックが下向きに回転する時に突出部の一側に位置し、突出部の前進を阻止し、安全開放機構を作動不能とすることを特徴とする、キャビネットの安全連鎖装置としている。
請求項８の考案は、請求項１記載のキャビネットの安全連鎖装置において、支持フレームを更に具え、該支持フレームは方形長条状中空体とされ、且つキャビネットの内部後方に設けられたことを特徴とする、キャビネットの安全連鎖装置としている。
【考案の効果】
【００１４】
本考案のキャビネットの安全連鎖装置は、簡単な構造と修理が容易な特徴を有し、製造コストが低く且つ故障率を減らすことができ、またラッチ構造の改変により、周知の、直接駆動ロッドでラッチ片を駆動して上下に作動させる方式を、駆動ロッドに駆動位置決め機構と安全開放機構を組み合わせてラッチ片を経常的にロック状態に維持する方式に改変し、使用者が引出しを開く時に安全開放機構を利用してラッチ片を押動して開放の状態とすることができる。これにより本考案は一度に開放できる引出し数量を制限する機能を達成すると共に、引出しが誤って開かれるのを防止する機能を具え、且つ引出しロック時に直接閉じられていない引出しを押し込む時にも自動ロックして衝撃による損壊防止の機能を達成し、また、本考案はラッチ片がラッチベース内に設置されて上下移動可能とされ、これにより周知の回転式ロック構造における引出し内の物品の突出或いは落下によるラッチ片の正常動作への影響を欠点を防止できる。ゆえに本考案は実用性を有し、またその構造はその出願前に公開、使用されておらず、新規性と進歩性を有している。
【考案を実施するための最良の形態】
【００１５】
図３、４、及び図１５は本考案のキャビネットの安全連鎖装置の第１実施例の立体分解図、立体組合せ図、及び本考案の第１実施例がキャビネット内に取り付けられた状態の立体図である。本考案のキャビネットの安全連鎖装置は、キャビネット１内に取り付けられ、該キャビネット１内に複数の引出し１１が設けられている。本考案のキャビネットの安全連鎖装置は、ロックヘッド２、操作ロッド３、ラッチベース４、複数の係合ブロック５、ラッチ構造６、支持フレーム８、カバー９、及び安全開放機構７で構成されている。ロックヘッド２はキャビネット１の正面上方に設けられて使用者のロック、アンロックに供される。駆動ロッド３は前端がロックヘッド２の後端のロックコアの凹溝２１と嵌合され、ロックヘッド２が鍵で回されることにより駆動ロッド３が回転する。このほか、支持フレーム８は方形長条状中空体とされ、且つキャビネット１の内側後側に設けられている。係合ブロック５は各引出し１１の後端に固定される。ラッチ構造６は前述の支持フレーム８内に嵌合されて上下移動可能とされ、且つラッチ構造６は駆動ロッド３の一端に結合されて駆動される。該引出し１１の後端に固定された係合ブロック５の外側に突出部５１があり、且つ突出部５１に前側斜面５１１と後側斜面５１２が設けられ、該突出部５１の上方にロック部５２が設けられ、該ロック部５２の引出しに近い一端に略垂直の当接面５２１が設けられ、該ロック部５２は係合ブロック５の上面より突出し、ロック部５２の別側に斜面５２２があり、該斜面５２２と突出部５１の前側斜面５１１が相互に平行で等距離を維持する。このほか、ラッチ構造６はラッチ片６１と駆動位置決め機構６２で構成され、ラッチ片６１が支持フレーム８内に嵌合されて上下移動可能とされ、且つラッチ片６１にあって係合ブロック５に対応する位置に係合孔６１１が設けられ、該係合孔６１１の高さが係合ブロック５の上斜面５２２と突出部５１の前側斜面５１１の距離より大きく、該突出部５１が所定の水平移動範囲内にあって該係合孔６１１を通過する時、ロック部５２の当接面５２１が係合孔６１１の上端に当接し、このほか、ラッチ片６１の駆動ロッド３の後端のフック３１に対応する位置に第１溝孔６１２が設けられてフック３１の通過に供され、ロック状態の駆動ロッド３の後端のフック３１が下向きに第１溝孔６１２の下端に当接し、駆動位置決め機構６２が弾力補助を提供してラッチ片６１の位置をアンロック及びロックの二つの異なる固定の位置に位置決めする。
【００１６】
前述した駆動位置決め機構６２は回転ブロック６２１と弾性部品６２２で構成され、そのうち、回転ブロック６２１の中段の所定位置にラッチベース４が枢設されて回転自在とされ、回転ブロック６２１の一端に第１固定座６２１１が設けられ、第１固定座６２１１と反対の一側のラッチベース４上に第２固定座４１が設けられ、弾性部品６２２の二端が第１固定座６２１１と第２固定座４１に固定され、前述の回転ブロック６２１の別端のラッチ片６１に近い一側に凸柱６２１２が設けられ、ラッチ片６１とラッチベース４に設けられた横向き設置された第２溝孔６１３と垂直方向に設置された第３溝孔４２が組み合わされ、回転ブロック６２１の凸柱６２１２がラッチベース４の第３溝孔４２及びラッチ片６１に設けられた第２溝孔６１３を通り、ラッチ片６１が外力を受けて上下移動する時、凸柱６２１２が駆動されて回転ブロック６２１を回転させ、弾性部品６２２が提供する引っ張り力により回転ブロック６２１が二つの固定の位置に制限され、これによりラッチ片６１の停留位置が制限される。
【００１７】
また本考案中の安全開放機構７は、ボタン７１、連接棒７２、及びプッシュブロック７３で構成され、そのうち、プッシュブロック７３は相互に夾角を呈する第１当接面７３１と第２当接面７３２を具え、その夾角部分がラッチベース４の側辺に枢設され、ラッチ片６１の対応位置に設けられた第４溝孔６１４が組み合わされてプッシュブロック７３の第１当接面７３１が該第４溝孔６１４を通過してその上端に当接し、ボタン７１は連接棒７２の前端に枢設され、該ボタン７１の前端はキャビネット１の表面より突出し、このほか連接棒７２の後端はカバー９を通過して前述のプッシュブロック７３の第２当接面７３２に当接する。
【００１８】
図５、６、及び図１６はそれぞれ本考案のキャビネットの安全連鎖装置の第２実施例の立体分解図と立体組合せ図及び本考案の第２実施例をキャビネットに取り付けた状態の立体図である。本考案の第２実施例中のロックヘッド２、駆動ロッド３、ラッチベース４、複数の係合ブロック５、ラッチ構造６、カバー９及び安全開放機構７は図３に示されるものと類似するため、ここでは同じ部品名称と符号を使用し且つその詳細な構成、取り付け位置及び機能についての説明は省略する。その異なる部分は支持フレーム８が省略され、直接固定フレーム８ｂが壁８ａに固定されてキャビネットの安全連鎖装置が固定され、固定フレーム８ｂと壁８ａの組合せによりラッチ構造６が固定フレーム８ｂ内に嵌合されて上下移動可能とさえ、安全な開閉の目的を達成する。並びに大葉にキャビネットの安全連鎖装置の製造コストを減らし、市場での競争力を高める。
【００１９】
前述の構造設計によると、本考案がロック状態を呈する時、駆動ロッド３の後端のフック３１は回されて下方に至り且つラッチ片６１の第１溝孔６１２を通過する。この時、ラッチ片６１はロックの位置を維持し（図７）、この時、ラッチ片６１に設けられた係合孔６１１の下端は係合ブロック５上方のロック部５２の当接面５２１に当接し、係合ブロック５と結合された引出し１１を引出し不能としてロックの状態を呈する（図１０）。使用者がロックヘッド２を回して駆動ロッド３を回転させることでアンロック状態を呈する時、駆動ロッド３の後端のフック３１は上方に回転し、且つそれは第１溝孔６１２の下端と適宜間隙を有する（図８）。このとき、ラッチ片６１は駆動位置決め機構６２の機能によりもとのロックの位置を維持する。使用者が引出し１１を開きたい時は、必ず安全開放機構７中のボタン７１を押さねばならず、これにより連接棒７２を通してプッシュブロック７３が押されて回転してラッチ片６１を上に移動させ（図９及び図１１）、ラッチ片６１の係合孔６１１の上端の位置がやや係合ブロック５のロック部５２の上端の高さより高くなり、これにより全ての引出しがアンロックの状態となる。
【００２０】
使用者がいずれかの引出し１１を引き出す時、係合ブロック５の突出部５１の後側斜面５１２が係合孔６１１の下端と接触し、並びにラッチ片６１の係合孔６１１が下向きにラッチ片６１を押してラッチ片６１を下に移動させ（図１２）、同時に係合ブロック５及び連接棒７２を駆動しもとのロック時の位置に戻し、この時開かれない引出し１１は引出し不能となり、これにより一回に単一の引出し１１のみ開放できる機能を達成する。
【００２１】
使用者が既に引き出した引出し１１を使用しなくなる時、使用者は引出し１１を直接押し込むことができ、この時、引出し１１の前端の係合ブロック５の上方のロック部５２の斜面５２２がラッチ片６１の係合孔６１１の上端に圧接し、ラッチ片６１を上向きに押動し（図１３）、係合ブロック５の下方のロック部５２が完全に係合孔６１１を通過した後に、該ラッチ片６１が駆動位置決め機構６２の作用によりもとのロック状態に戻る。
【００２２】
使用者がキャビネット１をアンロックしたい時は、鍵でロックヘッド２を回して駆動ロッド３を回し、駆動ロッド３の後端のフック３１を上向きに空転させてアンロック位置となす。この時、ラッチ片６１ロック状態に位置し、使用者がボタン７１を押すことによりラッチ片６１を上向きに押動して引出しを開放可能な状態とすることができる（図１１）。
【００２３】
使用者がキャビネット１をロックしたい時は、鍵でロックヘッド２を回して駆動ロッド３を回転させ、駆動ロッド３の後端のフック３１を下向きにラッチ片６１の第１溝孔６１２の下端に圧接させ（図）、この時、使用者は再度安全開放機構７中のボタン７１、連接棒７２、及びプッシュブロック７３を利用してラッチ片６１を押動して上に移動させることができず、ゆえに確実にロックの機能を達成できる。
【００２４】
本考案中、安全開放機構７の連接棒７２と駆動ロッド３後端のフック３１は、第１案内溝９０と第２案内溝９１をそれぞれ通過し、第１案内溝９０と第２案内溝９１の案内により、連接棒９２と駆動ロッド３が設計された所定位置に位置し、後続の連接棒７２と駆動ロッド３作動時の離脱現象が防止される。
【００２５】
本考案のラッチ片６１は垂直移動の方式でラッチベース４内を移動し、これにより引出し物品の突出或いは落下によりラッチ片６１動作に影響が生じることがなく、ゆえに周知の回転式のラッチ構造に較べ、本考案は確実にアンロック、ロックの正常動作を維持できる長所を有し、従来の構造が突出物或いは落下物の障害により正常作動不能となる欠点を解決する。
【００２６】
本考案はロックヘッドロックの後に未遮蔽の引出しを使用者が気づかずに直接押し込むことでラッチ構造の損壊を形成するのを防止するため、引出し衝突防止安全機構７４（図１４）が設けられ、それは、制動ブロック３２と突出部７２１を具えている。該引出し衝突防止安全機構７４はロックヘッドのロック時にフック３１の上端と第１溝孔６１２上端間の距離を増加して係合ブロックのロック部５２の当接面５２１の高さよりやや高くなるようにし、使用者がロックヘッド２をロックして駆動ロッド３を回してフックを下向きに定位に至らせる時、駆動位置決め機構６２の機能によりラッチ片６１をロックの位置に維持する。そのうち突出部７２１は該安全開放機構７中の連接棒７２の駆動ロッド３に近い一側に接続され、制動ブロック３２は駆動ロッド３の前述の突出部７２１に対応する位置に設けられ、該制動ブロック３２はロックヘッド２のロック時にフック３１が下向きに回転する時に突出部７２１の一側に位置し、突出部７２１の前進を阻止し、ボタン７１を押圧不能とする。前述の引出し衝突防止安全機構７４の設計により、使用者がロックヘッド２をロックして駆動ロッド３を回してフックを下向きに定位に回転させ、ラッチ片６１が駆動位置決め機構６２によりロックの位置を維持し、且つラッチ片６１の第１溝孔６１２の上端がフック３１との間に適当な距離を維持する時、駆動ロッド３に設けられた制動ブロック３２が有効に安全開放機構７中のボタン７１及び連接棒７２の作動を阻止して確実にロックの目的が達成される。使用者が未だ閉じてない引出し１１を直接押し込む時、引出し１１の前端の係合ブロック５の上方のロック部５２前端に設けられた斜面５２２が直接ラッチ片６１の係合孔６１１の上端に圧接してラッチ片６１を上向きに押動し、係合孔６１１の上端がロック部５２の上端を通過した後、該ラッチ片６１が駆動位置決め機構６２の作用によりラッチ片６１をもとのロックの位置に引き戻し、これにより、確実に係合ブロック５が直接ラッチ片６１に強力に衝突して損壊や故障を発生するのを防止できる。
【００２７】
以上述べたのは本考案の好ましい実施例であり、本考案の範囲を限定するものではなく、本考案に基づきなしうる細部の修飾或いは改変は、いずれも本考案の請求範囲に属するものとする。
【図面の簡単な説明】
【００２８】
【図１】周知の引出しロック装置の外観図である。
【図２】特許文献１の外観図である。
【図３】本考案のキャビネットの安全連鎖装置の第１実施例の立体分解図である。
【図４】本考案のキャビネットの安全連鎖装置の第１実施例の立体組合せ図である。
【図５】本考案のキャビネットの安全連鎖装置の第２実施例の立体分解図である。
【図６】本考案のキャビネットの安全連鎖装置の第１実施例の立体組合せ図である。
【図７】本考案の正面動作図である（ロックヘッドがロック状態を呈する）。
【図８】本考案の正面動作図である（ロックヘッドが９０度回されてアンロックの状態を呈する）。
【図９】本考案の正面動作図である（ボタンが押されてラッチ片が押動されてアンロック状態を呈する）。
【図１０】本考案の係合ブロックとラッチ片の側面動作図である（ラッチ片がロック状態を呈する）。
【図１１】本考案の係合ブロックとラッチ片の側面動作図である（ボタンが押されてラッチ片が押動されてアンロックの状態を呈する）。
【図１２】本考案の係合ブロックとラッチ片の側面動作図である（引出しが引き出されラッチ片が上向きに移動）。
【図１３】本考案の係合ブロックとラッチ片の側面動作図である（引出しが押し込まれてラッチ片が下向きに移動）。
【図１４】本考案の引出し衝突防止安全機構が増設された実施例の部分立体外観図である。
【図１５】本考案のキャビネットの安全連鎖装置の第１実施例がキャビネット内に取り付けられた状態の立体図である。
【図１６】本考案のキャビネットの安全連鎖装置の第２実施例がキャビネット内に取り付けられた状態の立体図である。
【符号の説明】
【００２９】
Ａ  ロックヘッド
Ｂ  ボルト連接棒
Ｃ  ラッチ片
Ｄ  係合ブロック
Ｅ  キャビネット
Ｆ  係合孔
Ｇ  ロックヘッド
Ｈ  凹溝
Ｉ  駆動ロッド
Ｊ  係合装置
Ｋ  ラッチ回転片
Ｌ  貫通孔
１  キャビネット
１１  引出し
２  ロックヘッド
２１  凹溝
３  駆動ロッド
３１  フック
３２  制動ブロック
４  ラッチベース
４１  第２固定座
４２  第３溝孔
４３  第１固定孔
５  係合ブロック
５１  突出部
５１１  前側斜面
５１２  後側斜面
５２  ロック部
５２１  当接面
５２２  斜面
６  ラッチ構造
６１  ラッチ片
６１１  係合孔
６１２  第１溝孔
６１３  第２溝孔
６１４  第４溝孔
６１５  第２固定孔
６２  駆動位置決め機構
６２１  回転ブロック
６２１１  第１固定座
６２１２  凸柱
６２２  弾性部品
７  安全開放機構
７１  ボタン
７２  連接棒
７２１  突出部
７３  プッシュブロック
７３１  第１当接面
７３２  第２当接面
７４  引出し衝突防止安全機構
８  支持フレーム
８ａ  壁
８ｂ  固定フレーム
９  カバー
９０  第１案内溝
９１  第２案内溝
【図１】
0003110427.tif 000003
【図２】
0003110427.tif 000004
【図３】
0003110427.tif 000005
【図４】
0003110427.tif 000006
【図５】
0003110427.tif 000007
【図６】
0003110427.tif 000008
【図７】
0003110427.tif 000009
【図８】
0003110427.tif 000010
【図９】
0003110427.tif 000011
【図１０】
0003110427.tif 000012
【図１１】
0003110427.tif 000013
【図１２】
0003110427.tif 000014
【図１３】
0003110427.tif 000015
【図１４】
0003110427.tif 000016
【図１５】
0003110427.tif 000017
【図１６】
0003110427.tif 000018